(57)【要約】【課題】安全性を確保できると共に、保守性に優れ、更に静音性を向上できる粒子線医療装置を得ることにある。【解決手段】横型筒形状の回転ガントリ１１の内側に配置されて患者を載置する治療台１２と、前記回転ガントリに搭載されて、この回転ガントリと共に前記治療台周りを回転し、この治療台に向けて粒子線を照射する照射ポート１３と、前記回転ガントリの内側で直線部と円弧部から成るかまぼこ型の軌道を形成する軌道レール１４と、駆動モーター１６を有する互いに屈曲自在に連結された複数枚の移動床２５から構成され、前記照射ポートの回転により前記軌道レールに沿って移動する移動床群１５と、を有する粒子線医療装置１０において、前記照射ポート１３と前記移動床群１５の端部２９Ａ、２９Ｂとが連結されていないことを特徴とする。【選択図】図２
2018038670.tif 000002
【特許請求の範囲】
【請求項１】
横型筒形状の回転ガントリの内側に配置されて患者を載置する治療台と、
前記回転ガントリに搭載されて、この回転ガントリと共に前記治療台周りを回転し、この治療台に向けて粒子線を照射する照射ポートと、
前記回転ガントリの内側で直線部と円弧部から成るかまぼこ型の軌道を形成する軌道レールと、
駆動モーターを有する互いに屈曲自在に連結された複数枚の移動床から構成され、前記照射ポートの回転により前記軌道レールに沿って移動する移動床群と、を有する粒子線医療装置において、
前記照射ポートと前記移動床群の端部とが連結されていないことを特徴とする粒子線医療装置。
【請求項２】
前記移動床群には、この移動床群と前記照射ポート間、隣接する移動床群間の距離を計測するための近接スイッチが設けられていることを特徴とする請求項１記載の粒子線医療装置。
【請求項３】
請求項１または２記載の粒子線医療装置の運転方法において、前記移動床群は一定の距離を維持して移動し、回転終了後に前記照射ポートの位置に合わせて停止することを特徴とする粒子線医療装置の運転方法。
【請求項４】
前記照射ポートが前記軌道レールの直線軌道部位置を移動しているときには、前記照射ポートと前記移動床群の前記照射ポート側の端部を押し当てることを特徴とする請求項３記載の粒子線医療装置の運転方法。
【請求項５】
前記移動床群の床板幅の余剰分を天井側へ集約させることを特徴とする請求項３または４記載の粒子線医療装置の運転方法。
【請求項６】
前記照射ポートが前記治療台の真上に位置しているときには前記照射ポートと前記移動床群の照射ポート側の端部を切り離し、複数の前記移動床群を当設させて床面部を形成することを特徴とする請求項３記載の粒子線医療装置の運転方法。
【請求項７】
前記移動床板群が回転ガントリと独立して駆動制御されることを特徴とする請求項３から６のいずれか１項記載の粒子線医療装置の運転方法。
【請求項８】
前記移動床群と前記照射ポート間、隣接する移動床群間の距離を計測し、移動床群と照射ポートとの接触または隣接する移動床群間の接触を回避することを特徴とする請求項３から７のいずれか１項記載の粒子線医療装置の運転方法。
【発明の詳細な説明】
【技術分野】
【０００１】
本発明の実施形態は、回転ガントリを有する粒子線医療装置およびその運転方法に関する。
【背景技術】
【０００２】
陽子、炭素イオン等の粒子線ビームを患者の患部（がん）に照射して治療を行う粒子線治療が広く実施されている。このような粒子線治療の一つとして、大型回転機構（以下、回転ガントリと称す）に内部形成された治療室内において、治療台上に横臥・載置させた患者を位置決めし、粒子線ビームを照射する粒子線医療装置というものがある。
【０００３】
このような回転ガントリを備えた粒子線医療装置は、回転ガントリに固定された照射ポートを回転させたり治療室内で治療ベッドを変位させたりすることにより、患者の患部に任意の方向から粒子線ビームを照射させる。
【０００４】
そして、回転ガントリ内部に形成される治療室は、回転ガントリの回転位置とは無関係に水平で、平坦な床面を有する移動床により形成されている。
【０００５】
このような移動床で治療室を形成することにより、治療ベッドと粒子線ビームが照射される空間との移動が容易となる。これにより、技師の作業性の向上や患者の精神的圧迫感の低減を図ることができる。
【０００６】
そして従来技術において、移動床群は平坦な部分を有するかまぼこ型の断面形状であり、水平床部を形成するが、この水平部の長さは、照射ポートの回転角度によって変化する。このため、回転ガントリに搭載された照射ポートの回転角度によっては、照射ポートと移動床との間に開口が発生する。この開口が発生すると、技師の治療台へのアクセスが困難になり、用具落下の危険性があり、安全性及び作業性の観点から課題がある。
【０００７】
上記課題を解決するために、照射ポートと移動床群の連結機構を改良するとともに、移動床群を分割構造とした他の従来技術がある。つまり、この連結機構は、照射ポートの回転角度によって生ずる移動床群の水平床部の長さの変化に対処するために、移動床群の一部を照射ポートに送り出したり引き寄せたりする駆動装置（シリンダーアーム）と、この駆動装置の動作を制御する制御装置とを備え、制御装置が駆動装置の動作を制御して、駆動装置に連結された移動床群の一部を移動させることで開口が発生しないようにしている。これにより、安全性及び作業性に関する課題を解決している。
【０００８】
しかしながら、上記他の従来技術では照射ポートと移動床が駆動装置（シリンダーアーム）により連結されているため、駆動装置により生じる音、移動床の摺動音、保守性および移動床の床下へのアクセス性が課題であり、改善の余地がある。
【０００９】
上記の他に従来技術の課題を解決するものとして、照射ポートの回転によって生ずる移動床群の水平面部の長さの変化に対処するために、照射ポートと移動床群の端部とを、回転ガントリの半径方向にスライド自在に連結する一対のスライド機構を備えた更に他の従来技術がある。この更に他の従来技術では、照射ポートの回転角度に連動してスライド連結機構が動作することで、照射ポートのすべての回転角度において開口が発生しない構造が検討されている。
【先行技術文献】
【特許文献】
【００１０】
【特許文献１】特開平１１−４７２８７号公報
【特許文献２】特開２００１−３５３２２８号公報
【特許文献３】特開２０１１−１５６２６３号公報
【発明の概要】
【発明が解決しようとする課題】
【００１１】
しかしながら、上記の従来技術では、一対のスライド連結機構における接触面の擦れによる騒音などの課題がある。また、移動床群がスライドレールから容易に分離できないため、移動床下方へのアクセス性が悪いといった課題があった。
【課題を解決するための手段】
【００１２】
本実施形態に係る粒子線医療装置は、横型筒形状の回転ガントリの内側に配置されて患者を載置する治療台と、前記回転ガントリに搭載されて、この回転ガントリと共に前記治療台周りを回転し、この治療台に向けて粒子線を照射する照射ポートと、前記回転ガントリの内側で直線部と円弧部から成るかまぼこ型の軌道を形成する軌道レールと、駆動モーターを有する互いに屈曲自在に連結された複数枚の移動床から構成され、前記照射ポートの回転により前記軌道レールに沿って移動する移動床群と、を有する粒子線医療装置において、前記照射ポートと前記移動床群の端部とが連結されていないことを特徴とする。
【００１３】
また、本実施形態に係る粒子線医療装置の運転方法は、上記粒子線医療装置において、前記移動床群は一定の距離を維持して移動し、回転終了後に前記照射ポートの位置に合わせて停止することを特徴とする。
【発明の効果】
【００１４】
本発明の実施形態により、移動床板群が適切な間隔を保ちながら床を形成するとともに、メンテナンス時には床板のみを移動させることにより容易に床板の下側にアクセスすることができる。
【図面の簡単な説明】
【００１５】
【図１】本発明の実施形態に係る粒子線医療装置を示す概略側断面図。
【図２】図1のII矢視における回転ガントリの回転角度180度の概略正面図。
【図３】図１及び図２の移動床群を示す斜視図。
【図４】図１及び図２に示す回転ガントリ及び照射ポートの回転（回転ガントリの回転角度１３５度）に伴う移動床群の移動状況を示す図２に対応する概略正面図。
【図５】図１及び図２に示す回転ガントリ及び照射ポートの回転（回転ガントリの回転角度９０度）に伴う移動床群の移動状況を示す図２に対応する概略正面図。
【図６】図１及び図２に示す回転ガントリ及び照射ポートの回転（回転ガントリの回転角度０度）に伴う移動床群の移動状況を示す図２に対応する概略正面図。
【図７】本発明の第２実施形態における粒子線医療装置を示す概略正面図。
【発明を実施するための形態】
【００１６】
以下、本発明の実施するための形態を、図面に基づき説明する。
［Ａ］第１実施形態（図１〜図６）
【００１７】
図１は、本発明の第１実施形態に係る粒子線医療装置を示す概略側断面図である。また、図２は、図１のII矢視における回転ガントリの回転角度１８０度の概略正面図である。
【００１８】
本第１実施形態の粒子線医療装置１０は、患者１に対し３６０度の任意の方向から粒子線を照射して患部を治療するための装置であり、回転ガントリ１１、治療台１２、照射ポート１３、軌道レール１４、移動床群１５を有して構成される。
【００１９】
回転ガントリ１１は、横型円筒形状であり、前後の両端部に配置されたエンドリング１８およびこれを支持する支持ローラー１７、この支持ローラー１７を駆動する支持ローラー駆動部２０により軸心周りに回転駆動される。また、治療台１２は、建屋１９に設置されて、患者１を仰臥させるなどして載置させるものである。この治療台１２は、移動床群１５等により回転ガントリ１１の内側に形成される後述の治療空間３０内で、且つ照射ポート１３から粒子線が照射される粒子線照射位置に患者１を搬送する。
【００２０】
照射ポート１３は、回転ガントリ１１の内壁に搭載されて、この回転ガントリ１１と共に治療台１２の周囲を±１８０度回転する。この照射ポート１３は、照射口１３Ａを備え、この照射口１３Ａが、回転ガントリ１１の回転により治療台１２上の患者１へ３６０度の任意の方向から粒子線を照射する。この照射ポート１３において、図２に示すように回転ガントリ１１と接する箇所を照射ポート付け根部１３Ｂと称する。
【００２１】
軌道レール１４は、回転ガントリ１１の内側でその前後方向（図３におけるＺ方向）の各位置に固定側レール１４Ａ、移動側レール１４Ｂが配設されて構成され、これらの固定側レール１４Ａおよび移動側レール１４Ｂが回転ガントリ１１の回転方向に延びている。これらの固定側レール１４Ａおよび移動側レール１４Ｂは、図３に示すように、上部の円弧軌道部２１と下部の直線軌道部２２とが滑らかに結合されたかまぼこ型に構成され、図１に示すように、固定側レール１４Ａが建屋１９に固定されている。
【００２２】
また、移動側レール１４Ｂは、サポートローラ２３を介して回転ガントリ１１の内壁面に支持されている。更に、この移動側レール１４Ｂは、回転ガントリ１１の回転に対し逆方向に同期して回転する逆回転同期駆動装置２４により回転駆動される。例えば、回転ガントリ１１の時計回りの回転に伴い照射ポート１３も時計回りに回転するが、移動側レール１４Ｂが逆回転同期駆動装置２４により反時計回りに同期して回転されることで、この移動側レール１４Ｂは見かけ上静止し、固定側レール１４Ａと同様に、直線軌道部２１が常に下方に位置づけられる。
【００２３】
移動床群１５は、図１から図３に示すように、互いに屈曲可能に連結された複数枚の移動床２５にて構成され、患者１や技師２、操作者などが乗ることが可能な十分な剛性を有する。この移動床群１５は、両側のそれぞれが固定側レール１４Ａ、移動側レール１４Ｂに支持されてかまぼこ型に形成され、照射ポート１３の回転に合わせて、また回転ガントリ１１と独立して軌道レール１４（固定側レール１４Ａ及び移動側レール１４Ｂ）に沿って移動床駆動モーター１６により移動する。ここで、技師２は医療行為を実施する者であり、操作者はメンテナンスを実施する者、または粒子線医療装置１０を操作可能な施設職員である。
【００２４】
移動床群１５は、固定側レール１４Ａ及び移動側レール１４Ｂ（軌道レール１４）により直線部と円弧部から成るかまぼこ型に形成されることで、図３に示すように、軌道レール１４の円弧軌道部２１により円弧部２６を、軌道レール１４の直線軌道部２２により水平床面部２７をそれぞれ形成する。移動床群１５のこれらの円弧部２６及び水平床面部２７と、移動側レール１４Ｂに固定された背面パネル２８とに囲まれて、照射ポート１３及び治療台１２を内包する治療空間３０が形成される。また、図２に示すように、移動床群１５の水平床面部２７に患者１や技師２、操作者が乗って移動することで治療台１２に近寄ることが可能になる。そして、移動床群１５の床板幅の余剰分は天井側へ集約させている。
【００２５】
図２に示すように、移動床群１５が、回転ガントリ１１の回転に伴う照射ポート１３の回転を妨げぬように軌道レール１４に沿って移動する。回転ガントリ１１の回転時には技師２は安全上のために移動床群上から退避してもらう。なお、患者１は治療台１２上に横臥・載置されているため、退避の必要はない。この回転ガントリ１１の回転時には移動床群１５は照射ポート１３と連設して連結されていないため、回転開始前に一定の距離を維持して移動し、回転終了後に照射ポートの位置に合わせて停止する。このように移動床群１５は照射ポート１３の位置に合わせて移動床駆動モーター１６により位置が制御される。
【００２６】
この移動床駆動モーター１６は、移動床群１５の両端部２９Ａ、２９Ｂに配置され、移動床群１５を天井方向に移動させる場合は天井部位置に設置されている移動床駆動モーター１６を駆動し、床側位置に設置されている移動床駆動モーター１６を従動として移動床群１５を天井方向に移動させる。なお、この移動床駆動モーター１６の駆動または従動は逆でもよく、また移動床群１５の重量または移動床駆動モーター１６の動力によっては両端部２９Ａ、２９Ｂの移動床駆動モーター１６を連動させても良い。
【００２７】
また、移動床群１５を床方向に移動させる場合は天井部位置に設置されている移動床駆動モーター１６を従動し、床側位置に設置されている移動床駆動モーター１６を駆動として移動床群１５を床方向に移動させる。なお、この移動床駆動モーター１６の駆動または従動は逆でもよく、また移動床群１５の重量または移動床駆動モーター１６の動力によっては両端部の移動床駆動モーター１６を連動させても良い。
【００２８】
これにより、移動床群１５がかまぼこ型の軌道レール１４に沿って移動することで、形成される移動床群１５の水平床面部２７の長さは照射ポート１３および回転ガントリ１１の回転角度に応じて徐々に変化する。ただし、照射ポート１３が軌道レール１４の円弧軌道部２１相当位置を移動しているときには、移動床群１５の水平床面部２７の長さは一定になる。
【００２９】
例えば、図２に示すように、照射ポート１３が治療台１２の真下に位置しているときには（回転ガントリ１１の回転角度＋１８０度）、照射ポート１３と移動床群１５の端部２９Ａ、２９Ｂを押し当てることで、移動床群１５の水平床面部２７は、照射ポート１３の両側に、開口を生じさせることなく形成される。
【００３０】
また、図４に示すように、照射ポート１３が治療台１２の斜め下方に位置しているときには（回転ガントリ１１の回転角度＋１３５度）、照射ポート１３の一方の照射ポート付け根部１３Ｂが軌道レール１４の円弧軌道部２１相当位置に到達している。この際に照射ポート１３に移動床群１５の照射ポート１３側の移動床群端部２９Ａ、２９Ｂを押し当てて当設させることで、水平床面部２７は、照射ポート１３の片側に、開口を生じさせることなく形成される。
【００３１】
更に、図5に示すように、照射ポート１３が治療台１２の真横に位置しているときには（回転ガントリ１１の回転角度+９０度）、照射ポート１３の一方の照射ポート付け根部１３Ｂが軌道レール１４の円弧軌道部２１相当位置にある。この際に照射ポート１３に移動床群１５の照射ポート１３側の端部２９Ａ、２９Ｂを押し当てて当設させることで、水平床面部２７は、照射ポート１３の片側に、開口を生じさせることなく形成される。
【００３２】
また、図６に示すように、照射ポート１３が治療台１２の真上に位置しているときには（回転ガントリ１１の回転角度０度）、この際に照射ポート１３と移動床群１５の照射ポート１３側の端部２９Ａ、２９Ｂを切り離し、移動床群１５同士を照射ポート１３側の端部２９Ａ、２９Ｂを当設させることで、水平床面部２７は、床部に開口を生じさせることなく形成される。
【００３３】
上述のように、照射ポート１３が軌道レール１４の円弧軌道部２１相当位置を移動しているときには（図６参照）、移動床群２５の水平床面部２７の長さは一定である。これに対し、照射ポート１３が軌道レール１４の直線軌道部２２相当位置を移動しているときには（回転ガントリ１１の回転角度＋１３５度〜＋１８０度：図２、及び図４参照）、この際に照射ポート１３と移動床群１５の照射ポート１３側の端部２９Ａ、２９Ｂを押し当てて当設させることで、水平床面部２７は、照射ポート１３の片側に、開口を生じさせることなく形成される。
【００３４】
なお、上述の回転ガントリ１１の回転角度の数値は例示的に示したものであり、軌道レール１４の円弧軌道部２１及び直線軌道部２２の長さや照射ポート１３の寸法によって変更される。また、上述の例では、回転ガントリ１１が＋１８０度〜０度の範囲を回転する場合を述べたが、回転ガントリ１１は、０度から−１８０度の範囲をも回転する。回転ガントリ１１及び照射ポート１３が基本的に鏡面対称形状であるため、回転ガントリ１１が０度〜−１８０度の範囲を回転する場合についても、照射ポート１３と移動床群１５の端部２９Ａ、２９Ｂを押し当てることで、水平床面部２７は、照射ポート１３の片側に、開口を生じさせることなく形成される。
【００３５】
以上のように構成されたことから、本第１実施形態によれば、次の効果（１）〜（３）を奏する。
【００３６】
（１）第１実施形態の粒子線医療装置１０によれば、図２及び図４から図５に示すように、照射ポート１３と移動床群１５の照射ポート１３側の端部２９Ａ、２９Ｂは、回転ガントリ１１の回転に伴って回転する照射ポート１３に連動して移動し、また移動床群１５の床板幅の余剰分を天井側へ集約させ、照射ポート１３の近傍に移動床群１５の一部によって水平床面部２７を、開口を設けることなく形成する。従って、この水平床面部２７を患者１や技師２、操作者が通ることで、これらの患者１や技師２などを治療台１２に安全に近寄らせることができ、また開口に工具等の物品が落下することがないので、安全性及び作業性を確保できる。また、照射ポートの位置によっては適切に間隔をあけ、移動床群１５の周長の変動分を吸収することが可能となる。
【００３７】
（２）さらに、本第１実施形態の粒子線医療装置１０では、図２に示すように照射ポート１３と移動床群１５の端部２９Ａ、２９Ｂが照射ポート１３の回転に連動して移動することで、移動床群１５の水平床面部２７を形成するための駆動装置（シリンダアーム）、制御装置及び動力源が不要になる。このため、粒子線医療装置１０の構造が簡素化されて故障要因も減少するので、粒子線医療装置１０の経済性及び保守性を向上させることができる。
【００３８】
更に、本第１実施形態の粒子線医療装置１０では、移動床群１５の照射ポート１３側の端部２９Ａ、２９Ｂを移動床駆動モーター１６により照射ポート１３から離し、間隔を設けることで、回転ガントリ１１、照射ポート１３および移動床群１５のメンテナンスを容易に実施することができる。
【００３９】
（３）本第１実施形態の粒子線医療装置１０では、図２に示すように、回転ガントリ１１の回転中は水平床面部２７に技師２は立ち入る必要はないため、照射ポート１３と移動床群１５の端部２９Ａ、２９Ｂとが、接触する必要はなく、回転ガントリ１１の回転停止後に端部２９Ａ、２９Ｂを照射ポート１３に近づけるため、接触により生じる音は小さくなり、粒子線医療装置１０の静音性を向上させることができる。また、特許文献３に示すような側面や前面の傾斜角度θが大きな照射ポート、非幾何学的形状の照射ポート、治療空間拡大のために高さの低い小型の照射ポートなどのような照射ポートの形状に拘わらず適用できるので、粒子線医療装置の汎用性を向上させることができる。
【００４０】
例えば、現在、粒子線治療の進歩に伴い照射技術の更なる改善が求められており、治療効果の高い新たな照射機器の開発や照射機器の改造が行われている。照射ポート１３に内蔵される機器の形状・寸法の耐用性に伴い、照射ポート１３の形状がこれまで主流であった先細り形状や箱型形状でない場合も想定される。従って、照射ポート１３の側面または前面の傾斜角度θが４５度以上の場合であっても、照射ポート１３へ移動床群１５の端部２９Ａ、２９Ｂを押し当てることで、水平床面部２７は、照射ポート１３の片側に、開口を生じさせることなく形成される。そのため、照射ポート１３の形状に拘わらず容易に本発明を適用することができる。
【００４１】
また、照射ポート１３や移動床群１５は治療空間３０に隣接しており、患者１の目に触れることから、デザインに考慮した構造を求められることも想定され、非幾何学形状の照射ポート１３であっても、この照射ポート１３と移動床群１５の端部２９Ａ、２９Ｂが連結されていなければ、照射ポート１３の形状に拘わらず容易に適用できる。更に、高さが低い小型の照射ポート１３とすることで、治療空間３０を広く設定することができる。
［B］第２実施形態（図７）
【００４２】
図７は本発明の第２実施形態に関わる粒子線医療装置を示す正面図である。この第２の実施の形態において、第１実施形態と同様な部分については、同一の符号を付すことにより説明を簡略化、または省略する。
【００４３】
本第２実施形態の粒子線医療装置１０Aが第１実施形態と異なる点は、移動床群１５と照射ポート１３間、隣接する移動床群１５間の距離を計測するための、近接スイッチ１６Ａが移動床群１５に設けられている点である。
【００４４】
この近接スイッチ１６Ａにより回転ガントリ１１の回転時および停止時の移動床群１５と照射ポート１３間距離を制御する。また、移動床群１５間の距離にこれを用いてもよい。
【００４５】
この結果、近接スイッチ１６Ａにより状態を監視しながら移動床群１５の位置制御が実施できるため、位置制御ロジックが簡略化可能となるとともに、移動床群１５の位置制御を省略することが可能となる。
【００４６】
以上、本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができ、また、それらの置き換えや変更は、発明の範囲や要旨に含まれると共に、特許請求の範囲に記載された発明とその均等の範囲に含まれる。
【符号の説明】
【００４７】
１  患者
２  技師
１０  粒子線医療装置
１０Ａ  粒子線医療装置
１１  回転ガントリ
１２  治療台
１３  照射ポート
１３Ａ  照射口
１３Ｂ  照射ポート付け根部
１４    軌道レール
１４Ａ  固定側レール
１４Ｂ  移動側レール
１５  移動床群
１６  移動床駆動モーター
１６A  近接スイッチ
１７  支持ローラー
１８  エンドリング
１９  建屋
２０  支持ローラー駆動部
２１  円弧軌道部
２２  直線軌道部
２３  サポートローラ
２４  逆回転同期駆動装置
２５  移動床
２６  円弧部
２７  水平床面部
２８  背面パネル
２９Ａ、２９Ｂ  移動床群端部
３０  治療空間
【図１】
2018038670.tif 000003
【図２】
2018038670.tif 000004
【図３】
2018038670.tif 000005
【図４】
2018038670.tif 000006
【図５】
2018038670.tif 000007
【図６】
2018038670.tif 000008
【図７】
2018038670.tif 000009